(57)【要約】【課題】  表示面積が制限される条件の中で同時に複数の数字情報が表示される医療機器において、情報内容の重要性が同時に高い場合には、複数の情報内容の数字の寸法は同じとなる場合が有る。この場合、特に視力の弱い患者、高齢者にとっては表示内容の区別が困難となる場合がある。このような状況に対して、どの数字が何を示しているか、一目で容易に判別できるようにすることを目的とする。【解決手段】  １つの表示素子に同時に複数の数字情報を表示しかつ、同時に表示される情報の内、少なくとも２つ以上の数字の寸法が同じ、すなわち縦横長、太さが同じ医療用機器において、当該数字の寸法の同じ情報表示の一部の情報表示の数字の色と該部分情報表示を行なう表示部分の背景色をそれぞれ他の数字の寸法の同じ表示情報の背景色と数字の色とすることを特徴とする医療用機器。【選択図】なし【特許請求の範囲】
【請求項１】
医療用機器の情報を表示するための表示素子を備え、１つの表示素子に同時に複数の数字情報を表示し、かつ、同時に表示される情報の内、少なくとも２つ以上の数字情報を表示する数字の寸法が同じである表示手段を備えた医療用機器において、当該数字の寸法の同じ情報表示の一部の情報表示の数字の色および部分情報表示を行なう表示部分の背景色が、各々、他の数字の寸法の同じ表示情報の背景色及び他の数字の色であることを特徴とする医療用機器。
【請求項２】
前記表示素子が色反転可能な表示素子であることを特徴とする、請求項１に記載の医療用機器。
【請求項３】
前記色反転可能な表示素子が液晶表示素子であることを特徴とする、請求項２に記載の医療用機器。
【請求項４】
前記医療用機器が、医療用酸素濃縮器であることを特徴とする請求項１から３に記載の医療用機器。
【発明の詳細な説明】
【技術分野】
【０００１】
本発明は、１つの表示素子に同時に複数の情報を表示する医療用機器に関する。
【背景技術】
【０００２】
従来の医療機器、例えば従来の医療用酸素濃縮器においては、流量表示、積算運転時間などの数字表示や機器異常時の警報表示等、個々の情報が液晶表示素子、発光ダイオード素子、ランプ等の表示素子で個別に表示する方式が主流であった。近年、酸素濃縮器の高機能化に伴い、酸素濃縮器から使用者への情報量も増えてきている。例えば、吸気時のみに酸素供給を行なう呼吸同調機能を付設する技術が考案されており、特許第１４２５８７６号公報、特許第１５８６１８９号公報、特許第２６５６５３０号公報等で開示されている。この場合、従来の酸素濃縮器にあった酸素供給チューブ折れや電源異常などの警報表示に加え、呼吸同調に由来する警報、例えば患者の吸気検知異常などの警報が必要となる場合がある。また、電池で駆動する酸素濃縮器が実開平６−３１７４８号公報、特開平１１−３１９０９６号公報等で開示されている。この場合にも携帯型人工呼吸器などで観られるように、電池残量表示、電池残量警報等が新たに必要となる場合がある。
【０００３】
一方、機器使用される個々の部品の高性能化、小型化に伴い、医療機器自体の小型化がなされてきており、それによる機器表面積が少なくなることによって、表示できる面積も少なくなりつつある。このような表示面積の制限がある中で数多くの情報を同時に表示する手段として、液晶表示素子やエレクトロクロミック表示素子、エレクトロルミネッセンス表示素子等１つの表示素子において複数の情報を表示する素子が知られている。これらを医療機器に用いた例は特許第２８０５１５７号公報、特開平５−７６２３号公報、特開２０００−３１６９７５号公報などで開示されている。
【０００４】
また１つの表示素子で複数の表示項目を表示する機能を具備した表示手段を用いた医療用酸素濃縮装置が特開２０００−２５４２２８号公報で請求項として記載されているが、液晶表示素子やエレクトロルミネッセンス表示素子等はテレビ画面、パーソナルコンピューターの表示画面、携帯電話等で使用されているように、元来の機能として複数の文字、数字、絵を同時に表示することができるものである。
【０００５】
【特許文献１】特許第１４２５８７６号公報
【特許文献２】特許第１５８６１８９号公報
【特許文献３】特許第２６５６５３０号公報
【特許文献４】実開平６−３１７４８号公報
【特許文献５】特開平１１−３１９０９６号公報
【特許文献６】特許第２８０５１５７号公報
【特許文献７】特開平５−７６２３号公報
【特許文献８】特開２０００−３１６９７５号公報
【特許文献９】特開２０００−２５４２２８号公報
【発明の開示】
【発明が解決しようとする課題】
【０００６】
近年高齢者、障害者の使用する設備、機器においては、ユニバーサルデザインの要望が高く、ＪＩＳ  Ｓ００１２においても高齢者・障害者配慮設計指針が示され、表示、操作部については判りやすい工夫が望まれている。
【０００７】
患者が直接操作を行なう医療用機器においては表示内容に従った適切な操作が必要である。特に対象患者が高齢となる医療用酸素濃縮器においては、判りやすい表示が必要となる。しかしながら、表示面積が制限される条件の中で同時に複数の数字情報が表示される医療機器においては、情報内容の重要性が同時に高い場合には、複数の情報内容の数字の寸法は同じとなる場合が有る。この場合、特に視力の弱い患者、高齢者にとっては表示内容の区別が困難となる場合がある。このような状況に対して、どの数字が何を示しているか、一目で容易に判別できるようにする必要がある。
【課題を解決するための手段】
【０００８】
本発明者は、かかる課題に対して検討した結果、以下の装置を見出した。すなわち本発明は、医療用機器の情報を表示するための表示素子を備え、１つの表示素子に同時に複数の数字情報を表示し、かつ、同時に表示される情報の内、少なくとも２つ以上の数字情報を表示する数字の寸法が同じである表示手段を備えた医療用機器において、当該数字の寸法の同じ情報表示の一部の情報表示の数字の色および部分情報表示を行なう表示部分の背景色が、各々、他の数字の寸法の同じ表示情報の背景色及び他の数字の色であることを特徴とする医療用機器を提供する。
【０００９】
また本発明は、かかる表示素子が色反転可能な表示素子であることを特徴とし、特に前記色反転可能な表示素子が液晶表示素子であることを特徴とする医療用機器を提供するものである。さらにかかる表示素子を搭載する医療用機器が、医療用酸素濃縮器であることを特徴とする医療用機器を提供するものである。
【００１０】
本発明は、１つの表示素子に同時に複数の数字情報を表示しかつ、同時に表示される情報の内、少なくとも２つ以上の数字の寸法が同じ、すなわち縦横長、太さが同じ医療用機器において、当該数字の寸法が同じ複数の情報表示の一部の情報表示の数字の色と該部分情報表示を行なう表示部分の背景色をそれぞれ他の数字の寸法が同じ表示情報の背景色と数字の色とすることを特徴とする医療用機器である。
【発明の効果】
【００１１】
本発明により、１つの表示素子で複数の数字情報表示を行なう場合でも、一目で容易に各々の情報を認識できるようになる。
【発明を実施するための最良の形態】
【００１２】
本発明において、１つの表示素子に同時に複数の数字情報を表示しかつ、同時に表示される情報の内、少なくとも２つ以上の数字の寸法が同じ、すなわち縦横長、太さが同じ医療用機器において、当該数字の寸法の同じ情報表示の一部の情報表示の数字の色と該部分情報表示を行う表示部分の背景色をそれぞれ他の数字の寸法の同じ表示情報の背景色と数字の色とすることを特徴とする医療用機器である。
【００１３】
具体的態様例を医療酸素濃縮器の例を用いて説明する。図１に本発明を実施した表示素子例を示す。ここでは電池駆動できる酸素濃縮器を例とした。このような酸素濃縮器は家庭用電源の無いところで使用される場合があるので、使用者には酸素流量と使用可能時間は同等に重要な情報である。そのため、設定流量表示と、残り時間表示は表示面積範囲内で同程度の数字サイズとしている。残り時間表示は電池の容量および使用電流量を測定した結果から演算し算出することができる。
【００１４】
本発明に使用する表示素子では、残り時間表示部分は、表示部分を、設定流量表示の背景色とし、背景部分を、設定流量表示と同じ黒とすることで色反転した形をとる。これにより流量と残り時間が一目で容易に判別することができる。
【００１５】
図２に比較例を示すが、図１において残り時間表示は色反転無しとし、設定流量表示と同じ数字色、背景色とした。この場合、流量表示と残り時間表示が一目で判りにくく、特に残り時間が短くなった時に設定流量表示を残り時間と勘違いする場合には、酸素濃縮器を使用している途中で停止してしまう恐れがあり、医療用機器として好ましくない。
【００１６】
このような表示素子の具体例としては単色表示が可能な表示素子であれば良く、例えば液晶表示素子、エレクトロクロミック表示素子、エレクトロルミネッセンス表示素子等がある。単色表示ができる表示素子であれば色反転可能であり、本発明に用いることができる。なお、カラー液晶表示素子など、多色表示が可能な表示素子も個々の表示情報ごとに背景色数字色を選択することが可能であるが、多くの色を使用する場合には見易さという点で劣る場合が出てくる。ただし、多色表示が可能な表示素子が本発明に使用できないわけではなく、見易さを損なわないように、本発明を複数使用することができる。また、色反転した背景色は表示情報と連携して、点滅したり、色変化してもかまわない。例えば、反転表示内容が電池が使用できる残り時間を示す場合、残り時間が少なくなったときに背景色が周期的に点滅し、使用者の注意を促すことができる。
【００１７】
表示素子は液晶表示素子が表示品位、低消費電力という観点からより好ましい。液晶表示素子としてはセグメント方式、ＳＴＮ方式、アクティブマトリックス方式などの複数の表示方式があり、また液晶の種類によってネマティック型、強誘電性液晶型などがある。
【００１８】
また、本発明がより好適に利用できる医療用機器としては医療用酸素濃縮器があり、特に従来の酸素濃縮器の機能に加え、呼吸同調機能、電池駆動機能が付設された、高機能の酸素濃縮器で効果を発現する。かかる医療用酸素濃縮器としては、酸素選択透過膜を用いた膜分離型酸素濃縮器と、窒素又は酸素を選択的に吸着し得る吸着剤を用いた吸着型酸素濃縮器が知られている。更には、酸素イオンを選択的に透過する固体電解質膜を利用し、電気化学的に酸素を生成する装置なども有る。吸着型酸素濃縮器としては、気体圧縮機、または気体吸引機を用いた圧力変動吸着型酸素濃縮器があり、通常、窒素を選択的に吸着し得る吸着剤を充填した吸着床にコンプレッサーで圧縮空気を導入して加圧状態で窒素を吸着させることにより酸素濃縮気体を得る吸着工程と、吸着床の内圧を減少させて窒素を脱着させ吸着剤の再生を行う脱着工程を交互に行うことにより酸素濃縮気体を患者に供給する呼吸用気体供給装置である。
【図面の簡単な説明】
【００１９】
【図１】本発明の好ましい実施態様例。
【図２】比較例。
【図１】
2005124874.tif 000002
【図２】
2005124874.tif 000003